(57)【特許請求の範囲】
【請求項１】
バッテリー７４を搭載した乗用田植機において、
該乗用田植機の機体前部の車体フレーム３より、側方に支持フレーム１５０を突出し、該支持フレーム１５０に予備苗載台１０を付設し、該予備苗載台１０の下方の支持フレーム１５０にバッテリー搭載部７２を取り付け、
該バッテリー搭載部７２を左右に仕切り、外側にはバランスウエイト７６係止用の装着板７２ｄを設け、内側にはバッテリー搭載台７５を設けたことを特徴とする乗用田植機のバッテリー取付構造。
【請求項２】
請求項１記載の乗用田植機のバッテリー取付構造において、
バッテリー７４の上方を覆うバッテリーカバー８０を設け、該バッテリーカバー８０をバッテリー搭載部７２に対して着脱可能に構成し、
該バッテリーカバー８０を帽子型とし、該取り外した帽子型のバッテリーカバー８０を裏に向けて、浅凹部を側条施肥部３６の排出口３６ａの下方に位置させ、側条施肥部３６に残留した肥料を抜き取る際に取り出した肥料を受けて、深い部分へ溜めるように構成したことを特徴とする乗用田植機のバッテリー取付構造。
【発明の詳細な説明】
【０００１】
【発明の属する技術分野】
本発明は、バッテリーを搭載した乗用田植機において、バッテリーのメンテナンス作業を容易に行うためのバッテリー取付構造に関する。
【０００２】
【従来の技術】
従来から乗用田植機において、バッテリーを搭載し、セルモーターを駆動してエンジンの始動を容易としたり、マイクロコンピューター等のコントローラに電力を供給して、作業時に作動させてエンジンや植付を制御して、作業性を向上できるようにしている。この電力供給用のバッテリーは従来ボンネット内またはステップ下方に搭載されていた。
【０００３】
【発明が解決しようとする課題】
しかし、田植機は１シーズンしか使用しないために、次の年に使用するときにはバッテリーが上がり、充電する必要がある。バッテリーが従来のようにボンネット内またはステップ下方に配置していると、田植機はバッテリーが上がっているために動かすことはできないために、格納した状態でボンネットを外し、または、ステップを外しまたはステップの下にもぐり込んでバッテリーを外す必要があり、大変面倒な作業となっていた。
また、ブースターケーブルを用いて充電する際にも、長いブースターケーブルを用いて充電器と接続する必要があり、ブースターケーブルをバッテリーの端子に接続するにも、また、メンテナンス作業を行うにも、面倒な作業となっていた。
【０００４】
【課題を解決するための手段】
本発明の解決しようとする課題は以上の如くであり、次に該課題を解決する為の手段を説明する。
請求項１においては、バッテリー７４を搭載した乗用田植機において、該乗用田植機の機体前部の車体フレーム３より、側方に支持フレーム１５０を突出し、該支持フレーム１５０に予備苗載台１０を付設し、該予備苗載台１０の下方の支持フレーム１５０にバッテリー搭載部７２を取り付け、該バッテリー搭載部７２を左右に仕切り、外側にはバランスウエイト７６係止用の装着板７２ｄを設け、内側にはバッテリー搭載台７５を設けたものである。
【０００５】
請求項２においては、請求項１記載の乗用田植機のバッテリー取付構造において、バッテリー７４の上方を覆うバッテリーカバー８０を設け、該バッテリーカバー８０をバッテリー搭載部７２に対して着脱可能に構成し、該バッテリーカバー８０を帽子型とし、該取り外した帽子型のバッテリーカバー８０を裏に向けて、浅凹部を側条施肥部３６の排出口３６ａの下方に位置させ、側条施肥部３６に残留した肥料を抜き取る際に取り出した肥料を受けて、深い部分へ溜めるように構成したものである。
【発明の実施の形態】
【０００６】
本発明の実施の形態を説明する。
図１は乗用田植機の全体側面図、図２は同じく全体平面図、図３は同じく部分正面図、図４は本発明のバッテリー搭載装置の平面図、図５は図４のａ−ａ正面断面図、図６は本発明のバッテリーカバーの平面図、図７は同じく側面図、図８は同じく正面図、図９は同じく後面図、図１０はバッテリーカバ─を係止した際のバッテリー搭載装置の平面図、図１１はバッテリーカバーを用いて、施肥部の残余肥料を取り出す際の図、図１２は運転席の部分平面図、図１３は運転席の側面図、図１４は運転席の部分正面図である。
【０００７】
まず、乗用田植機について、図１、図２より全体構成から説明する。
作業者等が搭乗する走行車１の車体フレーム３前部上方にエンジン２を搭載し、ミッションケース４の前方にフロントアクスルケース５を介して前輪６を支持させると共に、前記ミッションケース４の後部にリヤアクスルケース７を連設し、該リヤアクスルケース７に後輪８を支持させる。そして、前記エンジン２を覆うボンネット９の両側に予備苗載台１０・１０を配設し、ステップ１１を介して作業者等が搭乗する車体カバー１２によって前記ミッションケース４等を覆い、前記車体カバー１２上部に運転席１３を取り付け、該運転席１３の前方の前記ボンネット９後部に操向ハンドル１４を配設している。
【０００８】
また、植付け部は苗載台１６や複数の植付け爪１７等から構成されており、前高後低に配設した苗載台１６を下部レール及びガイドレール１９を介して植付けケース２０に左右往復摺動自在に支持させると共に、一方向に等速回転するロータリーケース２１を前記植付けケース２０に回転自在に支持させ、該ロータリーケース２１の回転軸芯を中心にして対称位置に一対の爪ケース２２・２２を配設し、該爪ケース２２・２２の先端に植付け爪１７・１７を配置している。
【０００９】
また、前記植付けケース２０の前部にローリング支点軸２３を介して支持フレーム２４を設け、トップリンク２５及びロワーリンク２６を含むリンク機構２７を介して走行車１後部に前記支持フレーム２４を連結し、前記リンク機構２７を介して植付け部を昇降させる昇降シリンダ２８をロワーリンク２６に連結している。
そして、前記前輪６・６及び後輪８・８を走行駆動して移動すると同時に、左右に往復摺動可能な苗載台１６から一株分の苗を植付け爪１７によって取り出し、連続的に苗植え作業を行うように構成している。
【００１０】
また、前記運転席１３等が設置された運転部には走行変速レバー２９、植付け昇降兼作業走行変速用副変速レバー３０、植付け感度調整レバー３１、主クラッチペダル３２、左右ブレーキペダル３３・３３が配設され、前記植付け部下部には均平用センターフロート３４、均平用サイドフロート３５が配設され、前記運転部１３後方には側条施肥部３６が配設されている。
【００１１】
また、前記運転席１３は、該運転部１３の背もたれが側条施肥部３６より低い位置となるように構成されている。よって、側条施肥部３６への肥料の供給作業を行う際、運転部１３の背もたれが邪魔になることはなく、また、苗載台１６上に苗マットを継ぎ足す際の苗継ぎ作業も容易に行うことができる。
また、図１２、図１３、図１４に示すように、運転席１３の中央部１３ａは、該運転席１３の周辺部１３ｂと異なった配色にしており、小柄なオペレータでも運転席１３の中央を容易に認識することができ、運転席１３の中央に着席することができる。
【００１２】
次に、本発明のバッテリー配置構成を説明する。図３に示すように、車体フレーム３前部に支持フレーム１５０が立設され、該支持フレーム１５０上部位置に予備苗載台１０が、複数平行に固定されている。
そして、進行方向右側の予備苗載台１０の下部に、バッテリー搭載部７２が前記支持フレーム１５０に固設されており、該バッテリー搭載部７２には、後述するバッテリーを保護するためバッテリーカバー８０が係止されている。
【００１３】
図４、図５に示すように、本発明のバッテリー搭載部７２はプレート７２ａ・７２ｂ・７２ｃを平面視略コ字状となるように連結固定して、その端部を車体フレーム３から側方に延設された支持フレーム１５０にボルト等によって固設されている。
そして、平面視Ｌ字状に構成した装着板７２ｄが前記プレート７２ａ・７２ｃの間に固定され、乗用田植機の前後の重量バランスが崩れることを防止するバランスウエイト７６・７６の係止部を装着板７２ｄに係止できるようにし、バランスウエイト７６・７６をバッテリー搭載部７２内に収納できるようにして、走行や作業の邪魔にならないようにしている。
また、プレート７２ｂ・７２ｃの間に前後方向に仕切板７３が固設され、バッテリー搭載部７２を左右に仕切っている。更に、仕切板７３とプレート７２ｃの間に平面視略コ字状、正面断面視Ｌ字状に構成したバッテリー搭載台７５が溶接固定され、該バッテリー搭載台７５にはバッテリ７４を搭載して、予備苗載台１０の下方でバランスウエイト７６・７６よりも内側に配置している。
また、プレート７２ｂ・７２ｃ及び仕切板７３の上部にそれぞれ係止棒７７ｂ・７７ｃ・７７ｄが突設されており、該固定棒７７ｂ・７７ｃ・７７ｄに後述するバッテリーカバー８０を係止できるようにしている。
【００１４】
次に、バッテリーカバー８０について説明する。
図６、図７、図８、図９に示すように、バッテリーカバー８０は側面視帽子（キャップ）型の形状であり、正面側には、バッテリーに接続するブースターケーブルを挿入するためのケーブル挿入孔８０ａが下方を開口して設けられている。  また、正面側、右側面側、後面側には、バッテリーカバー８０を係止固定するための固定溝８０ｂ・８０ｃ・８０ｄが下方を開放して設けられている。該固定溝８０ｄが位置する側を浅凹部８０ｅとし、バッテリー７４が位置しない部分を浅くしている。
【００１５】
そして、図１０に示すように、バッテリーカバー８０に設けられた前記固定溝８０ｂ・８０ｃ・８０ｄを、前記係止棒７７ｂ・７７ｃ・７７ｄにそれぞれ係合することにより、バッテリーカバー８０を上方より係止でき、バッテリー７４を保護することができるのである。また、固定溝８０ｂ・８０ｃ・８０ｄの下方が開放しているので、バッテリーカバー８０をワンタッチで脱着することができる。
【００１６】
また、図１１に示すように、前記バッテリーカバー８０は側条施肥部３６に残留した肥料を抜き取る際に受けケースとして使用することができる。つまり、バッテリーカバー８０は帽子状に構成しているので、係止棒７７ｂ・７７ｃ・７７ｄより外して裏向けて、固定溝８０ｄが位置する浅凹部８０ｅを前記側条施肥部３６の排出口３６ａの下方に位置させて、取り出した肥料を受けて、深い部分へためるようにするのである。
従って、側条施肥部３６の排出口３６ａの下方周辺は狭くなっていても、排出口３６ａの真下にバッテリーカバー８０の浅凹部８０ｅを挿入して排出口３６ａの真下にセットするだけで排出作業を簡単に行うことができる。そして、抜取作業が終了すれば、バッテリー搭載部７２にワンタッチで装着できるので、紛失することがないのである。
【００１７】
以上のように、進行方向右側の予備苗載台１０の下方にバッテリー搭載部７２を配設し、該バッテリー搭載部にバッテリー７４を搭載しているので、バッテリー７４が放電した際などのメンテナンス作業を容易に行うことができ、バッテリー７４を容易に取り外すことができるのである。
また、予備苗載台１０の下方に配設されているので、田植機の全長、全幅は変わらず、直射日光にさらされることもないので破損することもないのである。
【００１８】
また、バッテリー搭載部７４に突設された係止棒７９ｂ・７９ｃ・７９ｄにバッテリーカバー８０の固定溝８０ｂ・８０ｃ・８０ｄをそれぞれ係合することにより、バッテリーカバー８０を係止することができ、また、該固定溝８０ｂ・８０ｃ・８０ｄの下方が開放しているので、バッテリーカバー８０の脱着を容易に行うことができる。
そして、バッテリーカバー８０はバッテリーを保護すると共に、施肥部３６に残った肥料を排出口３６ａより取り出す際の受けケースとしても使用することができ、利用価値が高いのである。
【００１９】
【発明の効果】
本発明は以上のように構成したので、次のような効果を奏するのである。
請求項１においては、バッテリー７４を搭載した乗用田植機において、該乗用田植機の機体前部の車体フレーム３より、側方に支持フレーム１５０を突出し、該支持フレーム１５０に予備苗載台１０を付設し、該予備苗載台１０の下方の支持フレーム１５０にバッテリー搭載部７２を取り付け、該バッテリー搭載部７２を左右に仕切り、外側にはバランスウエイト７６係止用の装着板７２ｄを設け、内側にはバッテリー搭載台７５を設けたので、バッテリーは予備苗載台によって直射日光にさらされることがなく、保護され、また、バッテリーは外部に位置するためにバッテリーのメンテナンス作業も容易に行うことができる。
【００２０】
また、バッテリー搭載部を左右に仕切り、外側にバランスウエイト係止用の装着板を設け、内側にバッテリー搭載台を設けたので、バッテリーはバランスウエイトよりも内側に位置して保護され、障害物等に当たっても破損の心配がない。また、車体幅や全長を増加させることがなく、スペースを有効に利用でき、バランスの改善に寄与できる。
【００２１】
請求項２の如く、バッテリー７４の上方を覆うバッテリーカバー８０を設け、該バッテリーカバー８０をバッテリー搭載部７２に対して着脱可能に構成し、該バッテリーカバー８０を帽子型とし、該取り外した帽子型のバッテリーカバー８０を裏に向けて、浅凹部を側条施肥部３６の排出口３６ａの下方に位置させ、側条施肥部３６に残留した肥料を抜き取る際に取り出した肥料を受けて、深い部分へ溜めるように構成したので、側条施肥部３６に残った肥料を排出口３６ａより取り出す際に、肥料をバッテリーカバー８０によって受けることができるようになり、迅速に排出でき、専用の部材を必要とせず、また、既存の箱等を用いて取り出す際にこぼすこともない。
そして、該バッテリーカバー８０をバッテリー搭載装置にワンタッチで係止できるので、着脱が簡単に行え、紛失するおそれもない。
【図面の簡単な説明】
【図１】  田植機の全体側面図である。
【図２】  同じく全体平面図である。
【図３】  同じく部分正面図である。
【図４】  本発明のバッテリー搭載装置の平面図である。
【図５】  図４のａ−ａの正面断面図である。
【図６】  本発明のバッテリーカバーの平面図である。
【図７】  同じく側面図である。
【図８】  同じく正面図である。
【図９】  同じく後面図である。
【図１０】  バッテリーカバ─を係止した際のバッテリー搭載装置の平面図である。
【図１１】  バッテリーカバーを用いて、側条施肥部の残余肥料を取り出す際の図である。
【図１２】  運転席の部分平面図である。
【図１３】  運転席の側面図である。
【図１４】  運転席の部分正面図である。
【符号の説明】
１０  予備苗載台
３６  側条施肥部
３６ａ  排出口
７４  バッテリー
７６  バランスウエイト
８０  バッテリーカバー
【図１】
0003734598.tif 000002
【図２】
0003734598.tif 000003
【図３】
0003734598.tif 000004
【図４】
0003734598.tif 000005
【図５】
0003734598.tif 000006
【図６】
0003734598.tif 000007
【図７】
0003734598.tif 000008
【図８】
0003734598.tif 000009
【図９】
0003734598.tif 000010
【図１０】
0003734598.tif 000011
【図１１】
0003734598.tif 000012
【図１２】
0003734598.tif 000013
【図１３】
0003734598.tif 000014
【図１４】
0003734598.tif 000015